(57)【特許請求の範囲】
【請求項１】
検査時に、ヘッドセットのヘッドマウント部に配置されるヘッドセット振動子検査装置であって、該装置は、互いに接続されている加速度センサ及び信号変換モジュールを含み、そのうち、
加速度センサは、ヘッドセットが指定オーディオを再生する時のヘッドマウント部における加速度情報を検出するとともに、検出された加速度情報を電圧信号に変換して信号変換モジュールに出力するために用いられ、
信号変換モジュールは、受信された電圧信号をデジタル信号に変換して出力することで、出力されたデジタル信号に基づいてヘッドセットの振動子の振幅が合格しているかどうかを判断可能にするために用いられることを特徴とする装置。
【請求項２】
制御端末と、請求項１に記載のヘッドセット振動子検査装置とを含むヘッドセット振動子検査システムであって、制御端末は、ヘッドセット振動子検査装置における信号変換モジュールと接続され、
制御端末は、信号変換モジュールから出力されたデジタル信号を受信し、該デジタル信号に基づいてヘッドセットのヘッドマウント部における振幅を算出するとともに、ヘッドセットのヘッドマウント部における振幅とヘッドセットの振動子の振幅との間の関係に基づいてヘッドセットの振動子の振幅が合格しているかどうかを判断するために用いられることを特徴とするシステム。
【請求項３】
前記加速度センサは、ヘッドセットが指定オーディオを再生する時のヘッドマウント部におけるｘ、ｙ及びｚ軸方向での加速度情報を検出し、前記ｘ、ｙ及びｚ軸方向での加速度情報を対応するｘ、ｙ及びｚ軸方向での電圧信号に変換して信号変換モジュールに出力するために用いられ、
前記信号変換モジュールは、前記ｘ、ｙ及びｚ軸方向での電圧信号を対応するｘ、ｙ及びｚ軸方向でのデジタル信号に変換し、前記対応するｘ、ｙ及びｚ軸方向でのデジタル信号を制御端末に送信するために用いられ、
制御端末は、信号変換モジュールから出力された対応するｘ、ｙ及びｚ軸方向でのデジタル信号を受信し、設定時間内のｘ、ｙ及びｚ軸方向でのデジタル信号に基づいてヘッドセットのヘッドマウント部における対応するｘ、ｙ及びｚ軸方向での振幅をそれぞれ算出するために用いられ、
そのうち、前記ｙ軸方向は、二つのヘッドセット振動子同士を結ぶことによって確定された直線に平行な水平方向であり、
前記ｘ軸方向は、二つのヘッドセット振動子同士を結ぶことによって確定された直線に垂直な水平方向であり、
前記ｚ軸方向は、二つのヘッドセット振動子同士を結ぶことによって確定された直線に垂直な鉛直方向であることを特徴とする請求項２に記載のシステム。
【請求項４】
前記制御端末は、算出されたヘッドマウント部におけるｘ軸での振幅が第一の指定範囲内にあって、ｙ軸での振幅が第二の指定範囲内にあって、且つ、ｚ軸での振幅が第三の指定範囲内にある時に、ヘッドセットの振動子が合格していると判定するために用いられることを特徴とする請求項３に記載のシステム。
【請求項５】
前記制御端末は、更に、算出されたヘッドマウント部におけるｙ軸での振幅が第二の指定範囲の最大値よりも大きく、且つ、ｚ軸での振幅が第三の指定範囲の最小値よりも小さい時に、ヘッドセットにおける振動子の一つが逆方向に装着されていると判定するために用いられることを特徴とする請求項３に記載のシステム。
【請求項６】
前記ヘッドセット振動子検査装置の信号変換モジュールが、データ線を介して前記制御端末と接続されていること、
或いは、
前記ヘッドセット振動子検査装置の信号変換モジュールが、無線方式を介して前記制御端末と接続されていることを特徴とする請求項２に記載のシステム。
【請求項７】
前記システムは、検査待ちのヘッドセットを載置するための載置作業台を更に含み、
前記載置作業台は、左側板、右側板及び底板を含み、左側板及び右側板が、それぞれ底板に固定されていることを特徴とする請求項２〜請求項６のいずれか一項に記載のシステム。
【請求項８】
ヘッドセットを載置作業台に置き、ヘッドセット振動子検査装置を前記ヘッドセットのヘッドマウント部に配置して、前記ヘッドセット振動子検査装置と制御端末とを接続するステップと、
ヘッドセット振動子検査装置が、ヘッドセットが指定オーディオを再生する時のヘッドマウント部における加速度情報をデジタル信号に変換してから制御端末に送信するステップと、
制御端末が、前記デジタル信号に基づいてヘッドセットのヘッドマウント部における振幅を算出するとともに、ヘッドセットのヘッドマウント部における振幅とヘッドセットの振動子の振幅との間の関係に基づいてヘッドセットの振動子の振幅が合格しているかどうかを判断するステップとを含むことを特徴とするヘッドセット振動子検査方法。
【請求項９】
ヘッドセット振動子検査装置が、ヘッドセットが指定オーディオを再生する時のヘッドマウント部における加速度情報をデジタル信号に変換してから制御端末に送信するステップには、
ヘッドセット振動子検査装置が、ヘッドセットが指定オーディオを再生する時のヘッドマウント部におけるｘ、ｙ及びｚ軸方向での加速度情報を検出し、前記ｘ、ｙ及びｚ軸方向での加速度情報を対応するｘ、ｙ及びｚ軸方向でのデジタル信号に変換してから制御端末に送信する処理が含まれ、
制御端末が、前記デジタル信号に基づいてヘッドセットのヘッドマウント部における振幅を算出するとともに、ヘッドセットのヘッドマウント部における振幅とヘッドセットの振動子の振幅との間の関係に基づいてヘッドセットの振動子の振幅が合格しているかどうかを判断するステップには、
制御端末が、ヘッドセット振動子検査装置から送信された対応するｘ、ｙ及びｚ軸方向でのデジタル信号を受信する処理と、前記デジタル信号に基づいてヘッドマウント部における対応するｘ、ｙ及びｚ軸方向での振幅をそれぞれ算出する処理と、算出されたヘッドマウント部におけるｘ軸での振幅が第一の指定範囲内にあって、ｙ軸での振幅が第二の指定範囲内にあって、且つ、ｚ軸での振幅が第三の指定範囲内にある時に、ヘッドセットの振動子が合格していると判定する処理とが含まれることを特徴とする請求項８に記載の方法。
【請求項１０】
算出されたヘッドマウント部におけるｙ軸での振幅が第二の指定範囲の最大値よりも大きく、且つ、ｚ軸での振幅が第三の指定範囲の最小値よりも小さい時に、ヘッドセットにおける振動子の一つが逆方向に装着されていると判定する処理が更に含まれることを特徴とする請求項９に記載の方法。
【発明の詳細な説明】
【技術分野】
【０００１】
本発明は、ヘッドセット性能を検査する技術分野に関し、特に、ヘッドセット振動子検査装置、システム及び方法に関する。
【背景技術】
【０００２】
ヘッドセット性能の検査には、主に、ヘッドセット振動子の振幅の大きさを検査するヘッドセット振動子に対する検査が含まれる。ヘッドセット振動子の振幅は、大きすぎたり小さすぎたりしないように一定の基準範囲内にされる必要がある。
【０００３】
従来のヘッドセット振動子に対する検査では、人工的な判断方式に頼るしかなく、検査員が経験によってヘッドセット振動子の品質を判断する。このような人工的な検査モードは、多くの人手が必要とされるだけではなく、個人の経験に基づいて検査を行うものであるため、統一した基準がなく、製品の品質がばらつくことになってしまう。
【０００４】
以上をまとめて、従来のヘッドセット振動子の検査では、人工的な方式によって行われる必要があって、手間がかかるという問題があり、また、人的要因も存在し、統一した製品品質を保証できない。
【発明の概要】
【発明が解決しようとする課題】
【０００５】
本発明は、従来のヘッドセット振動子の検査において人工的な方式によって行われる必要があって、手間がかかる割に製品の品質を保証できないという問題を解決するための、ヘッドセット振動子検査装置、システム及び方法を提供している。
【課題を解決するための手段】
【０００６】
上記目的を達成するために、本発明の技術方案は、次のように実現される。
【０００７】
本発明には、ヘッドセット振動子検査装置が開示されており、検査時に、該装置がヘッドセットのヘッドマウント部に配置され、該装置は、互いに接続されている加速度センサ及び信号変換モジュールを含む。
【０００８】
そのうち、加速度センサは、ヘッドセットが指定オーディオを再生する時のヘッドマウント部における加速度情報を検出するとともに、検出された加速度情報を電圧信号に変換して信号変換モジュールに出力するために用いられる。
【０００９】
信号変換モジュールは、受信された電圧信号をデジタル信号に変換して出力することで、出力されたデジタル信号に基づいてヘッドセットの振動子の振幅が合格しているかどうかを判断可能にするために用いられる。
【００１０】
本発明には、ヘッドセット振動子検査システムが更に開示されており、該システムは、制御端末と、前記ヘッドセット振動子検査装置とを含み、制御端末は、ヘッドセット振動子検査装置における信号変換モジュールと接続される。
【００１１】
制御端末は、信号変換モジュールから出力されたデジタル信号を受信し、該デジタル信号に基づいてヘッドセットのヘッドマウント部における振幅を算出するとともに、ヘッドセットのヘッドマウント部における振幅とヘッドセットの振動子の振幅との間の関係に基づいてヘッドセットの振動子の振幅が合格しているかどうかを判断するために用いられる。
【００１２】
前記システムにおいて、前記加速度センサは、ヘッドセットが指定オーディオを再生する時のヘッドマウント部におけるｘ、ｙ及びｚ軸方向での加速度情報を検出し、前記ｘ、ｙ及びｚ軸方向での加速度情報を対応するｘ、ｙ及びｚ軸方向での電圧信号に変換して信号変換モジュールに出力するために用いられる。
【００１３】
前記信号変換モジュールは、前記ｘ、ｙ及びｚ軸方向での電圧信号を対応するｘ、ｙ及びｚ軸方向でのデジタル信号に変換し、前記対応するｘ、ｙ及びｚ軸方向でのデジタル信号を制御端末に送信するために用いられる。
【００１４】
制御端末は、信号変換モジュールから出力された対応するｘ、ｙ及びｚ軸方向でのデジタル信号を受信し、設定時間内のｘ、ｙ及びｚ軸方向でのデジタル信号に基づいてヘッドセットのヘッドマウント部における対応するｘ、ｙ及びｚ軸方向での振幅をそれぞれ算出するために用いられる。
【００１５】
そのうち、前記ｙ軸方向は、二つのヘッドセット振動子同士を結ぶことによって確定された直線に平行な水平方向である。
【００１６】
前記ｘ軸方向は、二つのヘッドセット振動子同士を結ぶことによって確定された直線に垂直な水平方向であり、前記ｚ軸方向は、二つのヘッドセット振動子同士を結ぶことによって確定された直線に垂直な鉛直方向である。
【００１７】
前記システムにおいて、前記制御端末は、算出されたヘッドマウント部におけるｘ軸での振幅が第一の指定範囲内にあって、ｙ軸での振幅が第二の指定範囲内にあって、且つ、ｚ軸での振幅が第三の指定範囲内にある時に、ヘッドセットの振動子が合格していると判定するために用いられる。
【００１８】
前記システムにおいて、前記制御端末は、更に、算出されたヘッドマウント部におけるｙ軸での振幅が第二の指定範囲の最大値よりも大きく、且つ、ｚ軸での振幅が第三の指定範囲の最小値よりも小さい時に、ヘッドセットにおける振動子の一つが逆方向に装着されていると判定するために用いられる。
【００１９】
前記システムにおいて、前記ヘッドセット振動子検査装置の信号変換モジュールは、データ線を介して前記制御端末と接続されているか、或いは、前記ヘッドセット振動子検査装置の信号変換モジュールは、無線方式を介して前記制御端末と接続されている。
【００２０】
前記システムは、検査待ちのヘッドセットを載置するための載置作業台を更に含み、前記載置作業台は、左側板、右側板及び底板を含み、左側板及び右側板が、それぞれ底板に固定されている。
【００２１】
本発明には、ヘッドセット振動子検査方法が更に開示されており、該方法は、ヘッドセットを載置作業台に置き、ヘッドセット振動子検査装置を前記ヘッドセットのヘッドマウント部に配置して、前記ヘッドセット振動子検査装置と制御端末とを接続させるステップと、ヘッドセット振動子検査装置が、ヘッドセットが指定オーディオを再生する時のヘッドマウント部における加速度情報をデジタル信号に変換してから制御端末に送信するステップと、制御端末が、前記デジタル信号に基づいてヘッドセットのヘッドマウント部における振幅を算出するとともに、ヘッドセットのヘッドマウント部における振幅とヘッドセットの振動子の振幅との間の関係に基づいてヘッドセットの振動子の振幅が合格しているかどうかを判断するステップとを含む。
【００２２】
上記方法において、ヘッドセット振動子検査装置が、ヘッドセットが指定オーディオを再生する時のヘッドマウント部における加速度情報をデジタル信号に変換してから制御端末に送信するステップには、ヘッドセット振動子検査装置が、ヘッドセットが指定オーディオを再生する時のヘッドマウント部におけるｘ、ｙ及びｚ軸方向での加速度情報を検出し、前記ｘ、ｙ及びｚ軸方向での加速度情報を対応するｘ、ｙ及びｚ軸方向でのデジタル信号に変換してから制御端末に送信する処理が含まれる。
【００２３】
制御端末が、前記デジタル信号に基づいてヘッドセットのヘッドマウント部における振幅を算出するとともに、ヘッドセットのヘッドマウント部における振幅とヘッドセットの振動子の振幅との間の関係に基づいてヘッドセットの振動子の振幅が合格しているかどうかを判断するステップには、制御端末が、ヘッドセット振動子検査装置から送信された対応するｘ、ｙ及びｚ軸方向でのデジタル信号を受信する処理と、前記デジタル信号に基づいてヘッドマウント部における対応するｘ、ｙ及びｚ軸方向での振幅をそれぞれ算出する処理と、算出されたヘッドマウント部におけるｘ軸での振幅が第一の指定範囲内にあって、ｙ軸での振幅が第二の指定範囲内にあって、且つ、ｚ軸での振幅が第三の指定範囲内にある時に、ヘッドセットの振動子が合格していると判定する処理とが含まれる。
【００２４】
前記方法には、算出されたヘッドマウント部におけるｙ軸での振幅が第二の指定範囲の最大値よりも大きく、且つ、ｚ軸での振幅が第三の指定範囲の最小値よりも小さい時に、ヘッドセットにおける振動子の一つが逆方向に装着されていると判定する処理が更に含まれる。
【発明の効果】
【００２５】
上記から分かるように、本発明により提供された技術方案によれば、ヘッドセットのヘッドマウント部に加速度センサを配置することで、加速度センサが、検出された加速度の情報を信号変換モジュールに出力し、信号変換モジュールによってデジタル信号に変換してから制御端末に送信し、制御端末が、受信された対応するｘ、ｙ及びｚ軸方向でのデジタル信号に基づいてヘッドセットのヘッドマウント部における振幅を算出するとともに、ヘッドセットのヘッドマウント部における振幅とヘッドセットの振動子の振幅との間の関係に基づいてヘッドセット振動子の振幅が合格しているかどうかを判断することができる。また、検出されたヘッドセットのヘッドマウント部における振幅に基づいてヘッドセットにおける振動子の一つが逆方向に装着されているかどうかを判断することも可能である。本発明により提供された技術方案によれば、製品に対して何らの変更も行わずに、ヘッドセットのヘッドマウント部における加速度を検出することでヘッドマウント部における振幅を算出し、更に、ヘッドマウント部における振幅とヘッドセット振動子の振幅との間の関係に基づいてヘッドセット振動子の振幅が合格しているかどうかを推定することができる。これにより、測定結果が正確に確定され、検査効率及び効果が向上し、人的判断に起因して不確かな測定となる状況を避けることができる。
【図面の簡単な説明】
【００２６】
【図１】本発明に係るヘッドセット振動子検査装置の構造を示す概略図である。
【図２】本発明に係るヘッドセット振動子検査システムの構造を示す概略図である。
【図３】本発明に係るヘッドセット振動子検査システムの使用状態図である。
【図４】ヘッドセット振動子が正しく装着されている時のヘッドマウント部における振幅を示す概略図である。
【図５】ヘッドセットにおける振動子の一つが逆方向に装着されている時のヘッドマウント部における振幅を示す概略図である。
【図６】本発明に係るヘッドセット振動子検査方法のフローチャートである。
【発明を実施するための形態】
【００２７】
本発明の目的、技術方案及び利点が更に明らかになるように、以下、図面を参照して本発明の実施形態を更に詳しく説明する。
【００２８】
本発明の原理は、次のようになる。ヘッドセットの振動子がヘッドセットの左右における二つのイヤーカップに装着されており、オーディオ信号が入力されると、二つの振動子が水平方向に沿って互いに反対方向に振動し、こうして、ヘッドセットのアーチ型のヘッドマウント部が上下に移動することになる。ここでのヘッドマウント部とは、二つのイヤーカップをつなぐ部分を言い、ヘッドバンドとも称される。振動子は、入力されたオーディオ信号に応じて振動するとともにヘッドセット全体の振動を引き起こし、且つ、ヘッドマウント部における振幅が最大となる。ヘッドセット振動子の振幅が大きいほど、ヘッドマウント部における振幅も大きくなり、同じ周波数では、ヘッドマウント部における振幅が大きいほど、ヘッドマウント部における加速度も大きくなる。即ち、ヘッドマウント部における加速度は、振動子の振幅に正比例する。従って、本発明においては、ヘッドマウント部における加速度を検出することで該ヘッドセットのヘッドマウント部における振幅を間接的に検出し、ヘッドマウント部における振幅によって該ヘッドセットの振動子の振動状況を判定する。
【００２９】
本発明の核心は、次のようになる。ヘッドセットを、該ヘッドセットを固定するための載置作業台上に装着して、ヘッドセットのヘッドマウント部に、加速度センサ及び信号変換モジュールを含むヘッドセット振動子検査装置を配置し、同じ周波数のオーディオ信号を入力する（即ち、同じ型番のヘッドセット振動子を検査する時に、検査待ちの各ヘッドセットに入力されるオーディオが同じであることが保証される）場合において、加速度センサが、取得された加速度情報を電圧信号に変換して信号変換モジュールに伝送してから、信号変換モジュールによって電圧信号をデジタル信号に変換してから制御端末に伝送する。制御端末は、デジタル信号に基づいてヘッドセットのヘッドマウント部における振幅を決定することで、ヘッドセットの振動子の振動状況を判断する。検出されたヘッドマウント部における振幅が所定の低閾値よりも小さい場合は、該ヘッドセット振動子の振幅が小さ過ぎることを意味し、検出されたヘッドマウント部における振幅が所定の高閾値よりも大きい場合は、前記ヘッドセット振動子の振幅が大き過ぎることを意味する。
【００３０】
本発明において、ヘッドセット振動子検査装置が提供されており、該ヘッドセット振動子検査装置は、ヘッドセットの振動子の振幅が基準に合っているかどうかを検査するために用いられ、検査時に、該装置がヘッドセットのヘッドマウント部に配置される。
【００３１】
図１は、本発明に係るヘッドセット振動子検査装置の構造を示す概略図である。図１に示すように、該ヘッドセット振動子検査装置２０１は、互いに接続されている加速度センサ１０１及び信号変換モジュール１０２を含む。ヘッドセットの振動子を検査する時に、該装置がヘッドセットのヘッドマウント部に配置される。
【００３２】
加速度センサ１０１は、ヘッドセットが指定オーディオを再生する時のヘッドマウント部における加速度情報を検出するとともに、検出された加速度情報を電圧信号に変換して信号変換モジュール１０２に出力するために用いられる。
【００３３】
信号変換モジュール１０２は、受信された電圧信号をデジタル信号に変換して出力することで、出力されたデジタル信号に基づいてヘッドセットの振動子の振幅が合格しているかどうかを判断可能にするために用いられる。
【００３４】
本発明により提供されたヘッドセット振動子検査装置は、ヘッドセットのヘッドマウント部における加速度情報を検出するとともに、検出された加速度情報を対応するデジタル信号に変換してから出力することで、それと接続されている制御端末が、前記デジタル信号に基づいてヘッドセットの振動子の振幅が合格しているかどうかを判断することができる。
【００３５】
本発明は、ヘッドセット振動子検査システムを更に提供しており、図２は、本発明に係るヘッドセット振動子検査システムの構造を示す概略図である。図２に示すように、該システムは、制御端末２０２及び図１に示すヘッドセット振動子検査装置２０１を含む。制御端末２０２は、ヘッドセット振動子検査装置２０１における信号変換モジュール１０２と接続されている。 
【００３６】
制御端末２０２は、信号変換モジュール１０２から出力されたデジタル信号を受信し、該デジタル信号に基づいてヘッドセットの振動子の振幅が合格しているかどうかを判断するために用いられる。
【００３７】
図３は、本発明に係るヘッドセット振動子検査システムの使用状態図である。図３に示すように、説明の便宜上、ｘ軸、ｙ軸及びｚ軸方向がそれぞれ定義されており、そのうち、ｙ軸方向は、二つのヘッドセット振動子同士を結ぶことによって確定された直線に平行な水平方向であり、ｘ軸方向は、二つのヘッドセット振動子同士を結ぶことによって確定された直線に垂直な水平方向である。即ち、ｘ軸とｙ軸とは、同一水平面で互いに垂直であり、ｚ軸方向は、二つのヘッドセット振動子同士を結ぶことによって確定された直線に垂直な鉛直方向である。即ち、ｚ軸は、ｘ軸とｙ軸とによって確定された水平面に垂直である。
【００３８】
加速度センサ１０１及び信号変換モジュール１０２を含むヘッドセット振動子検査装置２０１は、ヘッドセット２０４のヘッドマウント部に配置される。ヘッドセット振動子検査装置２０１における加速度センサ１０１は、ヘッドセット２０４が指定オーディオを再生する時のヘッドマウント部におけるｘ、ｙ及びｚ軸方向での加速度情報を検出し、検出された対応するｘ、ｙ及びｚ軸方向での加速度情報を対応するｘ、ｙ及びｚ軸方向での電圧信号に変換して信号変換モジュール１０２に出力する。最大の振幅を検出できるように、ヘッドセット振動子検査装置２０１をヘッドセット２０４のアーチ型のヘッドマウント部の中央の位置に配置する。
【００３９】
信号変換モジュール１０２は、入力端子が加速度センサ１０１と接続され、出力端子が制御端末２０２と接続されている。信号変換モジュール１０２は、加速度センサ１０１から出力されたｘ、ｙ及びｚ軸方向での電圧信号を対応するｘ、ｙ及びｚ軸方向でのデジタル信号に変換し、該対応するｘ、ｙ及びｚ軸方向でのデジタル信号を制御端末２０２に送信する。
【００４０】
制御端末２０２は、信号変換モジュール１０２から出力された対応するｘ、ｙ及びｚ軸方向でのデジタル信号を受信するために用いられる。設定された時間帯内におけるｘ、ｙ及びｚ軸方向でのデジタル信号に基づいて、ヘッドセット２０４のヘッドマウント部における対応するｘ、ｙ及びｚ軸方向での振幅をそれぞれ算出する。加速度の値が振幅に正比例するため、制御端末２０２は、一定の時間内におけるｘ、ｙ及びｚ軸のデジタル信号を取得することによって、該ヘッドセット２０４のヘッドマウント部におけるｘ、ｙ及びｚ軸方向のそれぞれでの振幅を算出することができる。
【００４１】
本発明の実施例において、制御端末２０２は、算出された対応するｘ軸、ｙ軸及びｚ軸方向のそれぞれでのヘッドセット２０４のヘッドマウント部における振幅に基づいて、予め設定された数値範囲と比較を行い、更に、ヘッドセット２０４の振動子の振動状況が正常であるかどうかを判断する。即ち、振幅が正常値の範囲内にあるか、大きすぎるかそれとも小さすぎるかを判断する。というのは、ヘッドセット振動子の振幅とヘッドマウント部の振幅との間に対応関係が存在し、この対応関係に基づいて、ヘッドマウント部の振幅から、振動子の振幅が、合格となる振動子の振幅の範囲内にあるかを推定することができるからである。
【００４２】
制御端末２０２は、ｘ軸での振幅が第一の指定範囲内にあって、ｙ軸での振幅が第二の指定範囲内にあって、且つ、ｚ軸での振幅が第三の指定範囲内にある時に、ヘッドセット２０４の振動子が合格していると判定するために用いられる。ここでの第一の指定範囲、第二の指定範囲及び第三の指定範囲は、実際の状況に応じて決定することが可能である。本発明のその他の実施例において、ｚ軸での振幅が第三の指定範囲内にあるかどうかのみによって、該ヘッドセット２０４の振動子の振幅が合格しているか、大き過ぎるかそれとも小さ過ぎるかを判断することが可能である。
【００４３】
実際の測定プロセスにおいて、同じ型番である１バッチのヘッドセットに対して、同じ周波数のオーディオ信号を入力するとともに、実際の状況に応じて、同じバッチのヘッドセット２０４に対して、第一の指定範囲、第二の指定範囲及び第三の指定範囲を確定する。異なるタイプのヘッドセット２０４では、そのアーチ型のヘッドマウント部の具体的な形状、材質の違いによって、その第一の指定範囲、第二の指定範囲及び第三の指定範囲の値が異なる。
【００４４】
そのうち、ヘッドセットにおける二つの振動子が反対方向に振動しているため、正しく装着されている場合、ｚ軸での振幅が最大となり、ｘ軸及びｙ軸では、わずかな振幅しかない。ヘッドセットにおける振動子の一つが逆方向に装着されているときは、ｙ軸での振幅が大幅に増加し、ｚ軸での振幅が大幅に低減される。従って、本発明の提供した装置は、更に、ヘッドセット２０４の振動子が逆方向に装着されているかどうかを検査するために用いられることも可能である。注意すべきこととしては、ここでいう振動子が逆方向に装着されるとは、二つの振動子のうち、一つが逆方向に装着されている場合を指す。
【００４５】
従って、制御端末２０２は、更に、ｙ軸での振幅が第二の指定範囲の最大値よりも大きく、且つ、ｚ軸での振幅が第三の指定範囲の最小値よりも小さい時に、ヘッドセット２０４における振動子の一つが逆方向に装着されていると判定するために用いられる。具体的には、いずれかのヘッドセット振動子の装着方向が逆になってしまうと、加速度センサ１０１により検出されるｙ軸方向での加速度が大きくなり、ｚ軸方向での加速度が小さくなり、それに応じて、制御端末２０２により算出されるｙ軸方向での振幅が大きくなり、ｚ軸方向での振幅が小さくなる。よって、該ヘッドセット２０４における振動子の一つが逆方向に装着されていると判断することができる。
【００４６】
本発明の具体的な実施例において、ヘッドセット振動子検査装置２０１の信号変換モジュール１０２は、データ線を介して制御端末２０２と接続され、例えば、ＵＳＢデータ線を介して信号変換モジュール１０２と制御端末２０２とを接続させることが可能である。或いは、ヘッドセット振動子検査装置２０１の信号変換モジュール１０２は、無線方式を介して制御端末２０２と接続され、例えば、ブルートゥース等の無線方式を介して信号変換モジュール１０２と制御端末２０２とを接続させることが可能である。
【００４７】
ヘッドセット２０４が指定オーディオを再生する時のヘッドマウント部における加速度情報を更に正確に検出できるように、本システムは、検査待ちのヘッドセット２０４を載置するための載置作業台２０３を更に含む。
【００４８】
図３に示すように、載置作業台２０３は、左側板２０３１、右側板２０３２及び底板２０３３を含み、左側板２０３１及び右側板２０３２が、それぞれ底板２０３３に固定されている。
【００４９】
なお、載置作業台２０３は、各検査待ちのヘッドセットを固定し位置決めするためのヘッドセット位置決め部材を更に含んでもよい。例えば、左側板２０３１及び右側板２０３２に、それぞれ、ヘッドセットのイヤーカップを固定するための対称な固定部材（例えば、溝設計又はスロット等）を設けてもよい。また、ヘッドセット振動子検査装置２０１の、ヘッドセットのヘッドマウント部への配置位置の統一性を保証するために、ヘッドセット振動子検査装置２０１の、ヘッドセットのヘッドマウント部においての位置は、一つのレベルメーターによって位置決めされる。これにより、毎回検出されたデータには、統一された比較可能性があることが保証される。
【００５０】
本発明の一つの実施例において、制御端末２０２は、制御端末２０２のオン又はオフを制御するためのコントロールキーを含んでもよい。制御端末は、ヘッドセットが合格しているかどうかを指示するためのインジケータを更に含んでもよく、具体的には、制御端末２０２は、一つのヘッドセットを検査した後、検査された結果に応じて、対応する指示情報を発信するようにインジケータを制御する。例えば、赤点滅の場合は、検査されたヘッドセットの振動子が不合格であることを表し、緑点滅の場合は、検査されたヘッドセットの振動子が合格していることを表し、振幅が大き過ぎるか又は小さ過ぎるかの場合は、常時点灯又は点滅によって表すことができる。制御端末は、表示スクリーンを更に含んでもよく、前記表示スクリーンは、制御端末２０２が信号変換モジュール１０２から送信されたｘ、ｙ及びｚ軸のデジタル信号に基づいて算出した対応するｘ軸、ｙ軸及びｚ軸方向での振幅を表示するために用いられてもよく、検査結果を表示するために用いられてもよい。
【００５１】
本発明の一つの具体的な実施例において、入力された１００Ｈｚの正弦波信号を例として詳しく説明する。そのうち、図４は、ヘッドセット振動子が正しく装着されている時のヘッドマウント部における振幅を示す概略図である。図５は、ヘッドセットにおける振動子の一つが逆方向に装着されている時のヘッドマウント部における振幅を示す概略図である。
【００５２】
図４、図５に示すように、一番上の波形がｘ軸での振幅を示し、中間の波形がｙ軸での振幅を示し、一番下の波形がｚ軸での振幅を示す。制御端末２０２は、５秒以内のｘ、ｙ及びｚ軸方向でのデジタル信号に基づいて、ヘッドセット２０４のヘッドマウント部の対応するｘ、ｙ及びｚ軸方向での振幅をそれぞれ算出する。
【００５３】
図４において、ｘ軸での振幅の最大値が２２３で、ｙ軸での振幅の最大値が４３８で、ｚ軸での振幅の最大値が２１２６である。図５において、ｘ軸での振幅の最大値が５８で、ｙ軸での振幅の最大値が９１０で、ｚ軸での振幅の最大値が８２６である。
【００５４】
図４を参照して、ヘッドセット２０４の振動子が正しく装着されている場合、ｚ軸での振幅が一番大きく、ｘ軸及びｙ軸では、わずかな影響を受けて、振幅が比較的小さい。図５を参照して、ヘッドセット２０４における振動子の一つが逆方向に装着されている場合、ｚ軸での振幅が低下し、ｙ軸での振幅が大きくなる。また、当該正しく装着されているヘッドセット２０４のヘッドマウント部のｘ軸、ｙ軸及びｚ軸方向での振幅が指定範囲内にあるかどうかによって、該ヘッドセット２０４の振動子の振幅が大き過ぎるか小さ過ぎるかが判断される。例えば、ｘ軸での振幅が２００〜３００の数値範囲内に、ｙ軸での振幅が４００〜５００の数値範囲内に、ｚ軸での振幅が２０００〜２４００の数値範囲内にある時に、ヘッドセットの振動子が合格しているとされる。
【００５５】
図４、図５に示す波形図は、制御端末の表示スクリーンによって表示可能である。
【００５６】
本発明は、ヘッドセット振動子検査方法を更に提供しており、該方法は、本発明の提供したヘッドセット振動子検査装置によって、ヘッドセット振動子の検査を行う。
【００５７】
図６は、本発明に係るヘッドセット振動子検査方法のフローチャートである。図６に示すように、ステップ６０１において、ヘッドセットを載置作業台に置き、ヘッドセット振動子検査装置を前記ヘッドセットのヘッドマウント部に配置して、前記ヘッドセット振動子検査装置と制御端末とを接続する。
【００５８】
ステップ６０２において、ヘッドセット振動子検査装置が、ヘッドセットが指定オーディオを再生する時のヘッドマウント部における加速度情報をデジタル信号に変換してから制御端末に送信する。
【００５９】
ステップ６０３において、制御端末が、前記デジタル信号に基づいてヘッドセットのヘッドマウント部における振幅を算出するとともに、ヘッドセットのヘッドマウント部における振幅とヘッドセットの振動子の振幅との間の関係に基づいてヘッドセットの振動子の振幅が合格しているかどうかを判断する。
【００６０】
本発明の提供したヘッドセット振動子検査方法において、ヘッドセット振動子検査装置が、ヘッドセットが指定オーディオを再生する時のヘッドマウント部における加速度情報をデジタル信号に変換してから制御端末に送信するステップには、ヘッドセット振動子検査装置が、ヘッドセットが指定オーディオを再生する時のヘッドマウント部におけるｘ、ｙ及びｚ軸方向での加速度情報を検出し、前記ｘ、ｙ及びｚ軸方向での加速度情報を対応するｘ、ｙ及びｚ軸方向でのデジタル信号に変換してから制御端末に送信する処理が含まれる。
【００６１】
制御端末が、前記デジタル信号に基づいてヘッドセットの振動子の振幅が合格しているかどうかを判断するステップには、制御端末が、ヘッドセット振動子検査装置から送信された対応するｘ、ｙ及びｚ軸方向でのデジタル信号を受信する処理と、前記デジタル信号に基づいて対応するｘ、ｙ及びｚ軸方向での振幅をそれぞれ算出する処理と、ｘ軸での振幅が第一の指定範囲内にあって、ｙ軸での振幅が第二の指定範囲内にあって、且つ、ｚ軸での振幅が第三の指定範囲内にある時に、ヘッドセットの振動子が合格していると判定する処理とが含まれる。
【００６２】
上記方法において、本発明の提供した方法は、更に、ヘッドセットにおける振動子のうち、一つが逆方向に装着されているかどうかを検査するために用いられることも可能である。具体的には、ｙ軸での振幅が第二の指定範囲の最大値よりも大きく、且つ、ｚ軸での振幅が第三の指定範囲の最小値よりも小さい時に、ヘッドセットにおける振動子の一つが逆方向に装着されていると判定する。
【００６３】
以上をまとめて、本発明により提供された技術方案によれば、ヘッドセットのヘッドマウント部に加速度センサを配置することで、加速度センサが、検出された加速度の情報を信号変換モジュールに出力し、信号変換モジュールによってデジタル信号に変換してから制御端末に送信し、制御端末が、受信された対応するｘ、ｙ及びｚ軸方向でのデジタル信号に基づいてヘッドマウント部におけるｘ、ｙ及びｚ軸方向での振幅を算出し、ヘッドマウント部における振幅と振動子の振幅との間の関係に基づいてヘッドセット振動子の振幅が合格しているかどうかを判断することができる。また、算出されたヘッドセットのヘッドマウント部における振幅に基づいてヘッドセットにおける振動子の一つが逆方向に装着されているかどうかを判断することも可能である。本発明により提供された技術方案によれば、製品に対して何らの変更も行わずに、ヘッドセットのヘッドマウント部における加速度を検出することでヘッドマウント部における振幅を算出することができ、更に、ヘッドセットのヘッドマウント部における振幅の大きさに基づいてヘッドセット振動子が合格しているかどうかを判断することができる。これにより、測定結果が正確に確定され、検査効率及び効果が向上し、人的判断に起因して不確かな測定となる状況を避けることができる。
【００６４】
前記したのは、あくまでも本発明の好ましい実施例であり、本発明の保護範囲を限定するものではない。本発明の精神及び原則内でなされたすべての補正、同等置換、改善等は、いずれも本発明の保護範囲に含まれるものである。
【要約】  本発明には、ヘッドセット振動子検査装置、システム及び方法が開示されている。本発明により提供された装置は、ヘッドセットの振動子を検査することに適し、検査時に、該装置がヘッドセットのヘッドマウント部に配置される。該装置は、互いに接続されている加速度センサ及び信号変換モジュールを含み、加速度センサは、ヘッドセットが指定オーディオを再生する時のヘッドマウント部における加速度情報を検出するとともに、検出された加速度情報を電圧信号に変換して信号変換モジュールに出力するために用いられ、信号変換モジュールは、受信された電圧信号をデジタル信号に変換して出力することで、出力されたデジタル信号に基づいてヘッドセットの振動子の振幅が合格しているかどうかを判断可能にするために用いられる。本発明により提供された技術方案は、従来のヘッドセット振動子検査が人工的方式に頼り、手間がかかるという問題を解決することができる。
【選択図】  図１【図１】
0005837270.tif 000002
【図２】
0005837270.tif 000003
【図３】
0005837270.tif 000004
【図４】
0005837270.tif 000005
【図５】
0005837270.tif 000006
【図６】
0005837270.tif 000007